(57)【要約】【課題】破砕ロータの異物による衝撃がチェーンや減速機モータに直接伝達されないようにした一軸破砕機の動力伝達機構を提供する。【解決手段】駆動モータの出力軸に取り付けたスプロケットと破砕ロータのロータ軸に取り付けたスプロケット組立体にチェーンを掛け渡して駆動モータの動力を伝達して可動刃を有する破砕ロータを回転させて前記可動刃と固定刃とにより被破砕物を破砕する一軸破砕機の動力伝達機構において、スプロケット組立体６がロータ軸に固定される固定輪１０の外周には外方に突出する複数の突起部１０ａが間隔をおいて形成され、突起部１０ａにはスプロケット組立体６の回転方向の後方側にクッション部１１が保持され、さらに固定輪１０の外周上にはスプロケット１２が固定輪１０に対して移動可能に嵌め込まれ、スプロケット１２の内周側には軸心側に延びる、クッション部１１に当接する当接部１２ａが形成されている。【選択図】図２
2005081331.tif 000002
【特許請求の範囲】
【請求項１】
駆動モータの出力軸に取り付けたスプロケットと破砕ロータのロータ軸に取り付けたスプロケット組立体にチェーンを掛け渡して駆動モータの動力を伝達して可動刃を有する破砕ロータを回転させて前記可動刃と固定刃とにより被破砕物を破砕する一軸破砕機の動力伝達機構において、
前記スプロケット組立体がロータ軸に固定される固定輪の外周には外方に突出する複数の突起部が間隔をおいて形成され、前記突起部にはスプロケット組立体の回転方向の後方側にクッション部が保持され、さらに固定輪の外周上にはスプロケットが固定輪に対して移動可能に嵌め込まれ、スプロケットの内周側には軸心側に延びる、クッション部に当接する当接部が形成されていることを特徴とする一軸破砕機の動力伝達機構。
【発明の詳細な説明】
【技術分野】
【０００１】
本発明は、粗大ゴミ、廃プラ、木材屑などの産業廃棄物を破砕するための一軸破砕機の動力伝達機構に関する。  
【背景技術】
【０００２】
廃棄物を処理する破砕機として、１つの破砕ロータに設けられた可動刃と固定刃との間で廃棄物を破砕する一軸破砕機がある。
【０００３】
例えば特許文献１には、連続破砕ができ、軽いものや硬いものでも、確実に破砕を行うことができる一軸破砕機が開示されている。この一軸破砕機はＶ字状の谷部と山部を複数併設して形成した破砕ロータと、この破砕ロータの谷部に２辺が密接するように固定した略四角形の可動刃と、前記破砕ロータの山部に近接し、前記可動刃の突出した２辺との間で剪断力を生じさせるＶ字状刃部を形成した固定刃とからなる一軸破砕機において、前記可動刃の前面を、凹面に形成するとともに、前記破砕ロータの谷部に固定される可動刃が全体として螺旋状またはＶ字状になるようにし、前記固定刃側のホッパー内部傾斜面下部の固定刃の上部に位置する箇所に、被破砕物を前記可動刃に誘導する三角板状の縦リブを突設した一軸破砕機である。
【０００４】
一軸破砕機の動力伝達方法は電動モータでロータを回転させる。廃棄物の破砕の場合、鉄や石などの硬質の異物が多く、これらの破砕時の衝撃から電動モータを保護するために、ロータの先端に減速機を取り付けて電動モータと減速機の間にベルトを掛けて動力伝達することが行われており、異物に対してベルトの滑りと減速機の回転止めボルトに強力スプリングを取り付けて衝撃を緩和している。さらに、過負荷防止対策として電流値で過負荷を感知しているが、対応が遅延するため、モータ出力軸の回転数で過負荷を感知することにより即対応し、破砕物のカミ込防止を行うことにしていた。しかしながら、ベルトのスベリがモータ出力軸とロータ回転数に誤差が生じて制御が難しくなるという問題があった。そこで、減速機付モータ出力軸とロータ軸にスプロケットを取り付けてチェーンで動力伝達を行うことにしている。
【特許文献１】特開２００２−１２６５５０号公報
【発明の開示】
【発明が解決しようとする課題】
【０００５】
しかしながら、チェーンで動力伝達する方式は、異物による衝撃の緩和対策が難しく、構造が複雑で高価になるという欠点があった。
【０００６】
そこで、本発明は、スプロケットとチェーンによる動力伝達機構を有する一軸破砕機において破砕ロータの異物による衝撃がチェーンや減速機モータに直接伝達されないようにした一軸破砕機の動力伝達機構を提供するものである。
【課題を解決するための手段】
【０００７】
本発明は、駆動モータの出力軸に取り付けたスプロケットと破砕ロータのロータ軸に取り付けたスプロケット組立体にチェーンを掛け渡して駆動モータの動力を伝達して可動刃を有する破砕ロータを回転させて前記可動刃と固定刃とにより被破砕物を破砕する一軸破砕機の動力伝達機構において、前記スプロケット組立体がロータ軸に固定される固定輪の外周には外方に突出する複数の突起部が間隔をおいて形成され、前記突起部にはスプロケット組立体の回転方向の後方側にクッション部が保持され、さらに固定輪の外周上にはスプロケットが固定輪に対して移動可能に嵌め込まれ、スプロケットの内周側には軸心側に延びる、クッション部に当接する当接部が形成されていることを特徴とする。
【発明の効果】
【０００８】
本発明は、スプロケットの当接部がクッション部を押しつけるように作用し、この作用によりロータの衝撃を緩和して、衝撃がチェーン及び減速機モータに直接伝達されないようなる。
【発明を実施するための最良の形態】
【０００９】
図１（ａ）は本発明の一軸破砕機の動力伝達構造を示す側面縦断面図、（ｂ）は同正面縦断面図である。図１において、１は破砕機本体、２は被破砕物投入ホッパー、３は被破砕物投入ホッパー２の底部に設置された、Ｖ字状の谷部と山部を複数併設して形成した可動刃７を有する破砕ロータ、４はホッパー内部傾斜面に沿ってシリンダにより進退駆動され、かつ所望の位置で停止可能な逆流防止プッシャー、５は破砕ロータ３を回転するための駆動モータ、６は破砕ロータ３のロータ軸７に取り付けられたスプロケット組立体、８は駆動モータ５の出力軸に取り付けられたスプロケット、９は駆動モータ５の出力軸のスプロケット８とロータ軸７のスプロケット組立体６に掛け渡して動力伝達を行うチェーンである。この一軸破砕機は、ロータ軸７のスプロケット組立体６の構造以外は前記特許文献１に記載の一軸破砕機と同一の構造で、可動刃と固定刃により粗大ごみなどの廃棄物を剪断力により破砕するものである。
【００１０】
図２（ａ）は本発明の動力伝達構造に使用するスプロケット組立体の正面図、（ｂ）は側面縦断面図である。
【００１１】
スプロケット組立体６は、ロータ軸７に固定される固定輪１０、クッション部１１、スプロケット１２により構成される。
【００１２】
固定輪１０の中心にはロータ軸７が挿通されて固定される、キー溝１０ｂを有するスプロケットボス１０ｃが形成され、固定輪１０の外周には外方に突出する突起部１０ａが等間隔に複数個（本実施例では４個）形成されている。
【００１３】
突起部１０ａには、スプロケット組立体６の回転方向の後方側にクッション部１１が保持されている。クッション部１１はウレタンゴムなどのゴム材をテフロン（登録商標）などのプラスチックのバックアッププレート１１ａに保持し、押え板１３で挟んでボルトにより固定輪に固定する。
【００１４】
固定輪１０の外周側にはスプロケット１２が固定輪１０に対して移動可能に軸方向から嵌め込まれる。スプロケット１２の内周側には軸心側に延びる、クッション部１１に当接する当接部１２ａが形成されている。当接部１２ａは押え板１３と一部重ねて軸方向へ外れないようにする。
【００１５】
本発明のスプロケット組立体６では、駆動モータ５を駆動させてチェーン９でロータ軸７ａのスプロケット１２を回転させるとスプロケット１２の当接部１２ａに当接しているクッション部１１を介して固定輪１０が回転してロータ３が回転して可動刃と固定刃により被処理物を破砕する。破砕時に被処理物中の鉄や石などの硬質の物質がロータ３の可動刃に当たって衝撃によりロータ３の回転速度が落ちると、一定速度で回転しているスプロケット１２が相対的に固定輪１０の速度より早くなりスプロケット１２の当接部１２ａがクッション部１１を押しつけるように作用し、この作用によりロータ３の衝撃を緩和することができる。したがって、衝撃がチェーン及び減速機モータに直接伝達されないようなる。
【産業上の利用可能性】
【００１６】
本発明は、一軸破砕機のチェーンや減速機モータへの衝撃を緩和できる動力伝達機構として利用できる。
【図面の簡単な説明】
【００１７】
【図１】（ａ）は本発明の一軸破砕機の動力伝達機構を示す側面縦断面図、（ｂ）は同正面縦断面図である。
【図２】（ａ）は本発明の動力伝達機構に使用するスプロケットの正面図、（ｂ）は側面縦断面図である。
【符号の説明】
【００１８】
１：破砕機本体
２：被破砕物投入ホッパー
３：破砕ロータ              
４：逆流防止プッシャー
５：駆動モータ                
６：スプロケット
７：ロータ軸                  
８：スプロケット
９：チェーン                
１０：固定輪
１０ａ：突起部    １０ｂ：キー溝    １０ｃ：スプロケットボス
１１：クッション部
１１ａ：バックアッププレート
１２：スプロケット
１２ａ：当接部
１３：押え板
【図１】
2005081331.tif 000003
【図２】
2005081331.tif 000004